(57)【要約】      （修正有）【課題】蛇の昇塔によって生じる電線間の短絡事故、電線と地表間の地絡事故を抑制することができる電線を支える鉄塔を提供する。【解決手段】蛇は、通常、高温になると活発に活動する。この習性を利用して、鉄塔１の下部の表面には高い熱吸収性を有する塗料の塗布又はシートの貼り付けを行い、鉄塔の上部の表面には高い熱遮蔽性を有する塗料の塗布又はシートの貼り付けを行い、蛇が昇塔した際、蛇の体感温度が急激に低下することによって昇塔を防止する。【選択図】図１
2015200165.tif 000002
【特許請求の範囲】
【請求項１】
地表から最も近い電線の位置から上部表面の一部または全てに、太陽熱遮蔽率５０％以上の塗料が塗布されていることを特徴とする電線を支える鉄塔。
【請求項２】
地表から最も近い電線の位置から上部表面の一部または全てに、太陽熱遮蔽率が５０％以上のシートが張られていることを特徴とする電線を支える鉄塔。
【発明の詳細な説明】
【技術分野】
【０００１】本発明は、電線を支える鉄塔の塗装に関する。
【背景技術】
【０００２】送電線を支える鉄塔や配電線を支える電柱において、上部にあるカラスの卵やひなを狙って昇塔や昇柱する蛇が電線に接触し、これにより、電線間の短絡事故、電線と地表の間の地絡事故を発生することがある。この短絡事故や地絡事故は、電力設備を破損させ、電力供給停止による生産活動や日常生活を停止させる損害を与える。これらの損害を防止するため、従来から、蛇の昇塔や昇柱を防止する様々な装置の開発や工夫が行われてきた。【０００３】例えば、下記する特許文献１において、電柱の表面に粘着テープを周回状に貼り付け、更に、該粘着テープの上に碗形状の昇柱防止具を取り付けた蛇や野ねずみ等の昇塔及び昇柱防止装置が記載されている。【０００４】また、下記する特許文献２において、昇柱しようとする蛇や野ねずみを落下させるように一部を逆円錐状にした電柱が記載されている。【０００５】また、下記する特許文献３においては、鉄塔の脚部の周囲に回転体を複数設置し、この回転体の上に乗ると回転体が回転するようにして、蛇や野ねずみ等を落下させる装置が記載されている。【０００６】しかし、これらの従来技術の昇塔防止や昇柱防止の装置や方法では、蛇の昇塔や昇柱による短絡事故や地絡事故を防止する課題が十分解決されておらず、問題が残されている。
【先行技術文献】
【特許文献】
【０００７】
【特許文献１】特開平５−２３１０４４号公報
【特許文献２】特開２００５−３０７４３４号公報
【特許文献３】特開２０１３−１７６１８１号公報
【発明の概要】
【発明が解決しようとする課題】
【０００８】解決しようとする課題は、蛇が電線まで昇塔することを防止する方法を提供することにある。
【課題を解決するための手段】
【００１０】上記課題は、高温になると活発に活動するが、低温になると活動を休止する変温動物である蛇の習性を利用して、鉄塔の下部は高温であっても上部は低温にすることにより、蛇の昇塔を中止させることにより、課題を解決する【００１１】鉄塔の下部は高温にし、上部は低温にすることは、下部には太陽熱の吸収率が５０％以上の吸熱性塗料を塗布し、上部には太陽熱の遮蔽率が５０％以上の遮熱性塗料を塗布することで、達成できる。太陽熱が照射されると、吸熱性塗料を塗布した箇所の温度上昇は大きくなるが、遮熱性塗料を塗布した箇所の温度上昇は小さい。【００１２】このため、本発明によれば、カラスの卵やひなを狙って地上より昇塔する蛇は、先ず、高い吸熱性塗料を塗布した高温箇所を登り、次いで、遮熱性塗料を塗布した低温箇所を登ることになる。高温箇所においては、蛇は体温が上昇して活発に昇塔するが、低温箇所に入ると、体温が急激に低下し、活動が緩慢になって昇塔できにくくなる。
【発明の効果】
【００１３】蛇が電線の場所まで昇塔することがなくなれば、電線間の短絡事故、電線と地表の間の地絡事故がなくなる。この短絡事故や地絡事故がなくなれば、電力設備の破損及び電力供給停止による生産活動や日常生活を停止させる損害をなくすことができる効果が得られる。
【図面の簡単な説明】
【００１４】
【図１】図１は、本発明の一実施例による蛇が昇塔しない電線を支える鉄塔の遮熱性塗料の塗布を示す概略図である。
【図２】図２は、本発明の他の一実施例による蛇が昇塔しない電線を支える鉄塔の表面への遮熱性シートの貼り付けを示す概略図である。
【発明を実施するための形態】
【実施例１】
【００１５】図１は、本発明の一実施例による吸熱性塗料と遮熱性塗料を塗布することにより蛇が昇塔しない電線を支える鉄塔を示す概略図であり、この鉄塔１では、下部には吸熱性塗料２を塗布し、上部を遮熱性塗料３で塗布する。【００１６】蛇が地表８に最も近い電線４を支持する碍子６が取り付けられている位置に達する前に、蛇の体温が低下する必要があるので、少なくとも、碍子６が取り付けられている位置Ｈ０より十分低い位置から上部を遮熱性塗料３で塗布する必要がある。【００１７】蛇は、体長の３倍程度移動する間に体温が変化して活動が低下すると仮定し、昇塔する蛇のモデルを成長したアオダイショウ（全長：約２メートル）に仮定し、吸熱性塗料２と遮熱性塗料３の境界は地表８に最も近い電線４を支持する碍子６が鉄塔に取り付けられている位置Ｈ０より６メートル低い位置Ｈ１とした。なお、本発明は、昼行性の蛇の昇塔防止するものであり、夜行性の蛇への対策には該当しない。【００１８】吸熱性塗料２とは、太陽熱の吸収率が５０パーセント以上の塗料を指す。吸熱性塗料２には、色に関係なく、一般的な塗料を使用することができる。一般的な塗料の太陽熱の吸収率は、８０〜９５パーセントあり、この太陽熱吸収率の範囲内において、白色の吸収率は低く、黒色の吸収率は高い。【００１９】遮熱性塗料２は、概して、太陽熱の反射率が５０パーセント以上の塗料を指し、塗膜となる断熱層と熱反射材のコーテイングから構成されている。断熱層は、微粉状のウレタン、アクリルシリコン、フッ素等の低い熱伝導率の材料で形成される。熱反射材には、低い輻射率のアルミ、クロム、ニッケル等金属や有機物が使用される。【００２０】表１に、本発明の一実施例になる一般的な塗料を塗布した吸熱性塗料２を塗布した箇所と遮熱性塗料３を塗布した箇所の夏期の日中における鉄塔温度の比較を示す。鉄塔水平面において、吸熱性塗料を塗布した面の温度は４０〜７０℃であり、このとき、遮熱性塗料を塗布した面の温度は２８〜４５℃であり、吸熱性塗料の面と遮熱性塗料の面の温度差は１２〜２５℃であった。また垂直面において、吸熱性塗料を塗布した面の温度は３１〜４５℃であり、遮熱性塗料を塗布した面の温度は２５〜３２℃になり、吸熱性塗料の面と遮熱性塗料の面の温度差は６〜１３℃であった。【００２１】本発明の一実施例において、夏期の日中における吸熱性塗料２を塗布した箇所の鉄塔温度と遮熱性塗料３を塗布した箇所の鉄塔温度の差が、鉄塔水平面において１２〜２５℃、鉄塔垂直面において６〜１３℃の温度差が生じたことにより、昇塔する蛇は、吸熱性塗料２を塗布した箇所から遮熱性塗料３を塗布した箇所に入ると、熱衝撃を受ける。【００２２】昇塔する蛇は、上記した急激な温度低下の熱衝撃によって体温が低下し、活動が緩慢になり、昇塔を停止する効果が期待できる。【００２３】なお、遮熱性塗料３のコストは吸熱性塗料２のコストの十倍以上するので、経済性を考慮すると、遮熱性塗料３の塗布は、鉄塔の上部の全てをせず、蛇が電線４を支持する碍子６に達するまでのルートに限定することができる。
【実施例２】
【００２４】図２は、本発明の他の一実施例による鉄塔を示す概略図であり、遮熱効果を有する遮熱性シート１２を鉄塔１１に張り付けた状態を示す。【００２５】遮熱性シート１２は、概して、太陽熱の反射率が５０パーセント以上のシートを指し、断熱層と熱反射材のシールから構成されている。断熱層は、微粉状のウレタン、アクリルシリコン、フッ素等の低い熱伝導率の材料で形成される。熱反射材のシールの材料には、低い輻射率のアルミ、クロム、ニッケル等金属や有機物が使用される。【００２６】本発明の他の一実施例において、遮熱性シート１２は断熱層の厚さを比較的自由に変えることができるので、遮熱性の向上を容易に行うことが可能になる。このため、遮熱性シートを貼らない箇所と遮熱性シート１２を貼った箇所の温度差は、実施例１で得られた吸熱性塗料２を塗布した箇所と遮熱性塗料３を塗布した箇所の温度差より大きくできる。【００２７】したがって、本発明の他の一実施例においても、前記一実施例と同様に、昇塔する蛇は、上記した急激な温度低下の熱衝撃によって体温が低下し、活動が緩慢になり、昇塔を停止することが期待できる効果が期待できる。
【産業上の利用可能性】
【００２８】本発明によって、従来技術において十分達成できなかった蛇の昇塔防止は、達成できる可能性が高い。しかし、本発明には恒温動物であるネズミの昇塔防止の効果は期待できない。したがって、従来技術と本発明を組み合わせると、蛇及びネズミの昇塔を防止する効果が得られ、電線間の短絡事故、電線と地表の間の地絡事故を防止することが可能になる。
2015200165.tif 000003
【符号の説明】
【００４４】１：鉄塔、２：吸熱性塗料、３：遮熱性塗料、４：電線、６：碍子、８：地表、１１：鉄塔、１２：遮熱性シート
【図１】
2015200165.tif 000004
【図２】
2015200165.tif 000005